(57)【要約】【課題】送信結果を確認するためには，画像処理装置の操作画面を直接参照しなければならない。そのため，原稿のページ数が膨大である等の場合，原稿のスキャンや送信に時間がかかり，ユーザが画像処理装置の前から離れてしまい，ユーザが送信結果を確認するためには，再度画像処理装置の操作画面を参照し直す必要があった。【解決手段】複数の排紙部を有する画像処理装置において，原稿を読み取って生成した画像データを送信する手段と，前記複数の排紙部のうち，前記読み取った原稿を排紙する排紙部を画像データの送信結果に応じて選択する手段と，前記選択された排紙部に前記読み取った原稿を排紙する手段と，を有する。【選択図】  図１６
2016076821.tif 000002
【特許請求の範囲】
【請求項１】
複数の排紙部を有する画像処理装置であって，
原稿を読み取って画像データを生成する読取手段と，
前記読取手段が生成した画像データを送信する送信手段と，
前記複数の排紙部のうち，前記読み取った原稿を排紙する排紙部を前記送信手段による画像データの送信結果に応じて選択する選択手段と，
前記選択手段によって選択された排紙部に前記読み取った原稿を排紙する排紙手段と，
を有することを特徴とする画像処理装置。
【請求項２】
前記選択手段が選択すべき排紙部を，ユーザからの指示に従って設定する第１の設定手段を更に有することを特徴とする請求項１に記載の画像処理装置。
【請求項３】
画像データの送信結果に応じた排紙部の切り替えを行うことを，ユーザからの指示に従って設定する第２の設定手段を更に有することを特徴とする請求項１または２に記載の画像処理装置。
【請求項４】
前記第２の設定手段により排紙部の切り替えを行うことが設定されていない場合，
前記排紙手段は，前記読み取った原稿を既定の排紙部に排紙する，
ことを特徴とする請求項３に記載の画像処理装置。
【請求項５】
読み取った原稿の画像から，宛先を指示する送信指示書が含まれるか否かを判断する判断手段を更に有し，
原稿に前記送信指示書が含まれる場合は，
前記送信手段は，前記送信指示書で指定された宛先に画像データを送信する，
ことを特徴とする請求項１〜４のいずれか１項に記載の画像処理装置。
【請求項６】
前記送信指示書の結果印刷が指示されている場合は，
前記送信手段による画像データの送信結果を，前記送信指示書に印刷する印刷手段を有する，
ことを特徴とする請求項５に記載の画像処理装置。
【請求項７】
複数の排紙部を有する画像処理装置の制御方法であって，
原稿を読み取って画像データを生成する読取工程と，
前記読取工程で生成された画像データを送信する送信工程と，
前記複数の排紙部のうち，前記読み取られた原稿を排紙する排紙部を前記送信工程における画像データの送信結果に応じて選択する選択工程と，
前記選択工程で選択された排紙部に前記読み取られた原稿を排紙する排紙工程と，
を有することを特徴とする画像処理装置の制御方法。
【請求項８】
請求項１〜６のいずれか1項に記載の手段として，コンピューターを機能させるためのプログラム。
【発明の詳細な説明】
【技術分野】
【０００１】
本発明は，画像処理装置，画像処理装置の制御方法，及びプログラムに関するものである。
【背景技術】
【０００２】
従来，原稿を画像読み取り部においてスキャンし，その原稿に基づいて生成された画像データを外部に送信する機能を有する画像処理装置がある。
一方，原稿をスキャンして送信した結果を履歴として保存しておき，自装置の操作画面に表示する画像処理装置がある。（特許文献１参照）
一方，画像データを電子メールなどで送信した結果を管理し，送信した結果をレポートとして出力する通信装置がある。（特許文献２参照）
一方，マークシートによって送信設定が記入されたフォーマット用紙を読み取って，フォーマット用紙に記入された送信設定を判別して，送信処理を行う画像処理装置がある。（特許文献３参照）
【先行技術文献】
【特許文献】
【０００３】
【特許文献１】特開２０１２−４９８８号公報
【特許文献２】特開平１１−８８５８２号公報
【特許文献３】特開２００１−３５８８６６号公報
【発明の概要】
【発明が解決しようとする課題】
【０００４】
しかしながら，特許文献１の画像処理装置では，送信結果を確認するためには，画像処理装置の操作画面を直接参照しなければならない。そのため，原稿のページ数が膨大である等の場合，原稿のスキャンや送信に時間がかかり，ユーザが画像処理装置の前から離れてしまい，ユーザが送信結果を確認するためには，再度画像処理装置の操作画面を参照し直す必要があった。
また，特許文献２の通信装置では，送信結果のレポートは送信結果の如何に関わらず出力される。そのため，送信結果を確認するためには，通信装置上に出力された送信結果レポートの内容を参照する必要があった。
また，特許文献３の画像処理装置の従来技術を用いて，送信を設定するためのフォーマット用紙にユーザがマークすることで複数宛先に対する送信設定を行い，その送信結果を，特許文献２の従来技術を用いて送信結果レポートを出力する場合を想定する。この場合，ユーザが個々の宛先に対する送信結果を参照するためには，送信設定を行ったフォーマット用紙と送信結果レポートの内容を，ユーザが宛先毎に照合する必要があり，煩雑であった。
本発明は，上記の問題点を解決するためになされたものである。本発明の目的は，送信結果を一目で確認することができる仕組みを提供することである。
【課題を解決するための手段】
【０００５】
本発明は，複数の排紙部を有する画像処理装置であって，原稿を読み取って画像データを生成する読取手段と，前記読取手段が生成した画像データを送信する送信手段と，前記複数の排紙部のうち，前記読み取った原稿を排紙する排紙部を前記送信手段による画像データの送信結果に応じて選択する選択手段と，前記選択手段によって選択された排紙部に前記読み取った原稿を排紙する排紙手段と，を有することを特徴とする。
【発明の効果】
【０００６】
本発明によれば，送信結果に応じて異なる排紙部に原稿が排紙されるため，一目で送信結果を確認することができる。
【図面の簡単な説明】
【０００７】
【図１】本発明に係る画像処理装置の断面図を示す図である。
【図２】本発明に係る画像処理装置における原稿の読取処理を説明するための図である。
【図３】本発明に係る画像処理装置における原稿の読取処理を説明するための図である。
【図４】本発明に係る画像処理装置における原稿の排紙処理を説明するための図である。
【図５】本発明に係る画像処理装置における原稿の排紙処理を説明するための図である。
【図６】本発明に係る画像処理装置における原稿の排紙処理を説明するための図である。
【図７】本発明に係る画像処理装置における原稿の排紙処理を説明するための図である。
【図８】本発明に係る画像処理装置における原稿の排紙処理を説明するための図である。
【図９】本発明に係る画像処理装置における原稿の排紙処理を説明するための図である。
【図１０】本発明に係る画像処理装置における原稿の排紙処理を説明するための図である。
【図１１】本発明に係る画像処理装置における原稿の排紙処理を説明するための図である。
【図１２】本発明に係る画像処理装置における画像処理装置の電装を示すブロック図である。
【図１３】本発明に係る画像処理装置における画像読取部の詳細を説明する図である。
【図１４】本発明に係る画像処理装置のソフトウェア構成を説明する図である。
【図１５】本発明に係る画像処理装置における画面の一例を示す図である。
【図１６】本発明に係る画像処理装置で実行される送信処理の流れを示すフローチャートである。
【図１７】本発明に係る画像処理装置における送信指示書の形態を示す図である。
【図１８】本発明に係る画像処理装置における送信指示書の送信結果印刷処理を説明するための図である。
【図１９】本発明に係る画像処理装置における送信指示書の送信結果印刷処理を説明するための図である。
【図２０】本発明に係る画像処理装置で実行される複数宛先への送信処理のフローチャートである。
【発明を実施するための形態】
【０００８】
以下，本発明を実施するための形態について，画像処理装置を例として図面を用いて説明する。
（第１実施形態）
第１の実施形態では，本発明を適用した画像処理装置を紹介する。
【０００９】
先ず，図１〜図３を用いて，両面原稿の読取処理について説明する。   
［原稿の読み取り（第１面）］
図１は，本発明に係る読取装置の一例である画像処理装置１の断面図を説明するための図である。
図１において，太い線の矢印は，原稿Ｇを示す。
第２給紙部９０に収納されていた原稿Ｇは，ＣＩＳピックアップローラ９１と，分離手段９２によって一枚ずつ搬送ローラ４１に搬送される。
次に，画像読取部１００は，原稿Ｇの第１面の読み取りを開始する前に，白基準部材１０１へ発光し，白基準値の修正を実施する。
その後，画像読取部１００は，両面搬送路８０に対面する位置に回転する。
搬送ローラ４１は，原稿Ｇを画像読取部１００に搬送する。
両面搬送路８０に対面する位置に待機していた画像読取部１００は，原稿Ｇの第１面を読み取り，読み取られた画像情報は，原稿Ｇの第１面の画像情報として画像メモリに記憶される。
なお，白基準部材１０１は下向きに配置されていて，ごみ付着に対する配慮がなされている。   
【００１０】
図２は，原稿の第１面の読み取りの終了時を説明するための図である。
画像読取部１００を通過した原稿Ｇは搬送ローラ４２に搬送される。
搬送ローラ４２は，原稿Ｇの後端がスイッチバックフラッパ８２を通過した時点で停止する。
このとき，原稿Ｇは，搬送ローラ４２に挟持された状態で停止している。
所定時間の経過後，搬送ローラ４２は，原稿Ｇを原稿搬送路８１に搬送する。
この所定時間の間に，スイッチバックフラッパ８２は，搬送路を両面搬送路８０から原稿搬送路８１に切り替える。   
【００１１】
［原稿の読み取り（第２面）］
図３は，原稿の第２面の読み取りを説明するための図である。
スイッチバックフラッパ８２が，原稿Ｇの搬送路を両面搬送路８０から原稿搬送路８１に切り替えると同時に，画像読取部１００は，原稿搬送路８１に対面する位置に回転する。
搬送ローラ４２は，逆回転をし始め，原稿搬送路８１を介して原稿Ｇを画像読取部１００に搬送する。
原稿Ｇが画像読取部１００を通過するときに，画像読取部１００は，原稿Ｇの第２面を読み取り，読み取られた画像情報は，原稿Ｇの第２面の画像情報として画像メモリに記憶される。
なお，片面読取が指定されている場合，第２面の画像情報の読取は行われない。
【００１２】
［送信中：排紙］
次に，図４〜図６を用いて，送信中の原稿の排紙部が第４排紙部３０である場合の排紙処理を説明する。
図４は，送信中の原稿の排紙処理を説明するための図である。
原稿Ｇの後端が画像読取部１００を通過した後，搬送ローラ４３，搬送ローラ４２は逆回転をし始め，原稿搬送路８１を介して原稿Ｇを両面搬送路８０に搬送する。さらに搬送ローラ４０，転写部１５，搬送ローラ６０は逆回転し，原稿Ｇを第３排紙部７０に搬送し，搬送ローラ６０は，原稿Ｇの後端がスイッチバックフラッパ６１を通過した時点で停止する。
このとき，原稿Ｇは，搬送ローラ６０に挟持された状態で停止している。
【００１３】
図５は，送信中の原稿の排紙処理の中継時を説明するための図である。
所定時間の経過後，搬送ローラ６０，搬送ローラ４０は逆回転をし始め，原稿Ｇを両面搬送路８０に搬送する。
【００１４】
図６は，送信中の原稿の排紙処理の終了時を説明するための図である。
原稿ＧがＣＳＴピックアップローラ３１に差し掛かると，ＣＳＴピックアップローラ３１は逆回転をし始め，原稿ＧはＣＳＴピックアップローラ３１によって搬送され，第４排紙部３０に積載される。
【００１５】
［送信成功時］
次に，図７〜図８を用いて，送信成功時の原稿の排紙部が第３排紙部７０である場合の排紙処理を説明する。
図７は，送信成功時の原稿の排紙処理を説明するための図である。
画像データの送信に成功した場合，第４排紙部３０に積載されていた原稿Ｇは，ＣＳＴピックアップローラ３１と分離手段３２によって，一枚ずつ搬送ローラ４０に搬送される。その後，搬送ローラ４０，転写部１５は回転し，原稿Ｇを搬送ローラ６０まで搬送する。
【００１６】
図８は，送信成功時の原稿の排紙処理の終了時を説明するための図である。
原稿Ｇが搬送ローラ６０に差し掛かると，搬送ローラ６０は回転をし始め，原稿Ｇは搬送ローラ６０によって搬送され，第３排紙部７０に積載される。
【００１７】
［送信エラー時］
図７〜図１１を用いて，送信エラー時の原稿の排紙部が第１排紙部１１０である場合の排紙処理を説明する。
図７の処理は，送信成功時と同様のため，説明は省略する。
図８の処理では，搬送ローラ６０は，原稿Ｇの後端がスイッチバックフラッパ６１を通過した時点で停止する。このとき，原稿Ｇは，搬送ローラ６０に挟持された状態で停止している。
【００１８】
図９は，送信エラー時の原稿の排紙処理を説明するための図である。
図８の状態が所定時間保持される。この間に，スイッチバックフラッパ６１は，搬送路を両面搬送路８０に切り替える。
所定時間の経過後，搬送ローラ６０は，逆回転をし始め，両面搬送路８０を介して原稿Ｇを搬送ローラ４１の直前に搬送する。
原稿Ｇが搬送ローラ４１に差し掛かると，搬送ローラ４１，搬送ローラ４２は回転をし始め，搬送ローラ４１，搬送ローラ４２は，原稿Ｇの後端がスイッチバックフラッパ８２を通過した時点で停止する。
このとき，原稿Ｇは，搬送ローラ４２に挟持された状態で停止している。
【００１９】
図１０は，送信エラー時の原稿の排紙処理の中継時を説明するための図である。
スイッチバックフラッパ８２は，搬送路を両面搬送路８０から原稿搬送路８１に切り替える。   
図１１は，送信エラー時の原稿の排紙処理の終了時を説明するための図である。
その後，排紙ローラ４２，搬送ローラ４３は，逆回転をし始め，原稿Ｇを原稿搬送路８１へ搬送する。原稿Ｇは，搬送ローラ４２，及び搬送ローラ４３によって機外へ搬送され，第１排紙部１１０に積載される。
【００２０】
［画像処理装置の構成］
図１２は，画像処理装置１の電装１２００を示すブロック図である。
図１２では，制御ＣＰＵ１２０１（以降，ＣＰＵ１２０１と称す）によって制御される各ユニットが記載されている。   
ＣＰＵ１２０１は，ポリゴンミラー，モータ及びレーザ発光素子などを含む発光部２１に，ＡＳＩＣ１２０２を介して接続している。
感光ドラム１０の表面にレーザ光を走査して所望の潜像画像を形成するために，ＣＰＵ１２０１は，ＡＳＩＣ１２０２に制御信号を送信して，発光部２１を制御する。
また，ＣＰＵ１２０１は，記録材Ｓを搬送するために，ＡＳＩＣ１２０２に制御信号を送信して，メインモータ１２３０，両面駆動モータ１２４０などの駆動系を制御する。
メインモータ１２３０は，ＣＳＴピックアップローラ３１，搬送ローラ４０，感光ドラム１０，転写部１５，加熱ローラ５１，加圧ローラ５２などを駆動する。
両面駆動モータ１２４０は，ＣＩＳピックアップローラ９１と搬送ローラ４１〜４４を駆動する。   
また，ＣＰＵ１２０１は，電子写真プロセスに必要な帯電，現像，転写などを制御する高電圧電源１２１０と，定着を制御する低電圧電源１２１１とを制御する。
さらに，ＣＰＵ１２０１は，定着部５０に設けられたサーミスタ（不図示）により温度をモニタし，定着温度を一定に保つための制御を行う。
ＣＰＵ１２０１は，バス等（不図示）を介してプログラムメモリ１２０３に接続されている。
【００２１】
プログラムメモリ１２０３は，ＲＯＭやＲＡＭで構成されており，ＣＰＵ１２０１によって行われる処理の全て，または一部を実行するためのプログラム，及びデータが格納されている。なお，プログラムメモリ１２０３は，ＨＤＤを含んでいてもよい。
すなわち，ＣＰＵ１２０１は，プログラムメモリ１２０３に格納されたプログラム及びデータを実行することによって，本発明に係る各実施形態を実現する。
画像メモリ１２０４は，ＲＡＭまたはＨＤＤで構成されており，画像読取部１００によって読み取られた画像を記憶する。
ＡＳＩＣ１２０２は，ＣＰＵ１２０１の指示に基づいて発光部２１内部のモータの速度制御，メインモータ１２３０の速度制御，両面駆動モータ１２４０の速度制御を行う。
モータの速度制御では，モータからのタック信号を検出して，タック信号の間隔が所定の時間となるように加速信号または減速信号をモータに送信する。ここで，タック信号とは，モータが回転するごとにモータから出力されるパルス信号である。
このように，制御回路は，ＡＳＩＣ１２０２のハードウェアによる回路で構成することにより，ＣＰＵ１２０１の制御負荷の低減が図られるというメリットがある。 
【００２２】
次に，ＣＰＵ１２０１は，ホストコンピュータ（不図示）から指示されたプリントコマンドを受信すると，メインモータ１２３０，両面駆動モータ１２４０，及びＣＳＴ給紙ソレノイド１２２２を駆動して記録材Ｓを搬送する。
記録材Ｓは，転写部１５により感光ドラム１０表面に形成されたトナー像を転写された後に，定着部５０によりトナー像が定着される。
そして，記録材Ｓは，搬送ローラ６０により，記録材積載部としての第３排紙部７０へ排出される。
第３排紙部７０は，画像形成済み記録材Ｓの整列性を高めるために，排紙口付近から記録材排出方向に向けて緩やかに上り勾配が設けられている。
ここで，ＣＰＵ１２０１は，定着部５０に対して，低電圧電源１２１１を介して，所定の電力を供給することによって，所定の熱量を発生させる。
そして，ＣＰＵ１２０１は，記録材Ｓに対し熱量を与えることにより，記録材Ｓ上のトナー画像を融着し定着される。
【００２３】
次に，ＣＰＵ１２０１は，操作部１２５１とのインターフェースである操作部Ｉ／Ｆ１２５０を介して，操作部１２５１に表示する操作画面データを出力する。また逆に，操作部Ｉ／Ｆ１２５０は，操作部１２５１からユーザが入力した情報をＣＰＵ１２０１に伝達する。
そのほか，ＣＰＵ１２０１は，モデム等の変調復調機能，画像メモリ１２０４の画像データの解像度変換機能，及び圧縮伸長処理機能を有するファクス部１２５２を介して，ＷＡＮなどの公衆回線１２６０に接続し，画像メモリ１２０４の画像データの入出力を行う。すなわち，ＣＰＵ１２０１は，ファクス部１２５２を介して，ファクス機能を実現する。
さらに，ＣＰＵ１２０１は，ＮＩＣ（Ｎｅｔｗｏｒｋ  Ｉｎｔｅｒｆａｃｅ  Ｃａｒｄ）１２５３を介して，ＬＡＮなどの通信回線１２６１に接続し，画像メモリ１２０４の画像データの入出力を行う。すなわち，ＣＰＵ１２０１は，ＮＩＣ１２５３を介して，外部の情報処理装置（不図示）との間で，画像データの保存／取得を実現する。
【００２４】
［スキャン動作］
次に，本実施例におけるスキャン動作について説明する。
ＣＰＵ１２０１は，画像処理装置１の図示しないスキャンスタートキーの押下を検知すると，両面フラッパソレノイド１２２０，両面駆動モータ１２４０を駆動し，ＣＩＳ給紙ソレノイド１２２３を操作する。
そして，ＣＰＵ１２０１は，両面駆動モータ１２４０のトルクを，ＣＩＳピックアップローラ９１に伝達させ，原稿Ｇを搬送する。
また，画像読取部１００は，制御信号ＣＩＳＬＥＤ１３０３，ＣＩＳＳＴＡＲＴ１３０２，ＳＹＳＣＬＫ１３１４，Ｓｌ＿ｉｎ１３１２，Ｓｌ＿ｓｅｌｅｃｔ１３１３，及びＳｌ＿ｏｕｔ１３１０により，ＡＳＩＣ１２０２に接続されている。
ＣＰＵ１２０１は，ＡＳＩＣ１２０２を介して，各種制御により，画像読取部１００から読み取った画像を，ＡＳＩＣ１２０２に接続されている画像メモリ１２０４に保存する。
その後，ＣＰＵ１２０１は，スイッチバックソレノイド１２２１を操作して，スイッチバックフラッパ８２を原稿専用搬送路側に倒し，両面駆動モータ１２４０を反転し，原稿Ｇを第１排紙部１１０まで搬送する。
【００２５】
次に，図１３を用いて，画像読取部１００の詳細について説明する。
図１３は，ＣＩＳセンサ（Ｃｏｎｔａｃｔ  Ｉｍａｇｅ  Ｓｅｎｓｏｒ）の回路ブロックを示した図である。
図１３において，１３０１は，ＣＩＳセンサ部分であり，例えば，１０３６８画素分のフォトダイオードが，特定の主走査密度（例えば，１２００ｄｐｉ）で，アレイ状に配置される。
次に，１３０２，及び１３１５は，ＣＩＳセンサ１３０１に与えるスタートパルスＣＩＳＳＴＡＲＴ信号，及び転送クロックＣＩＳＣＬＫである。
そして，１３１４は，ＣＩＳセンサ部の動作速度を決めるシステムクロックＳＹＳＣＬＫである。
また，１３０８は，Ａ／Ｄコンバータであり，１３１６は，Ａ／Ｄコンバータ１３０８のサンプリング速度を決めるＣＩＳサンプリングクロックＡＤＣＬＫであり，１３１７は，タイミングジェネレータである。
さらに，１３０４は，出力バッファ，１３０５は，シフトレジスタである。
そして，１３０３は，ＣＩＳＬＥＤ発光素子制御信号であり，１３０６は，電流増幅手段，１３０７は，原稿Ｇを均一に照射する発光素子である。
【００２６】
次に，動作について説明する。
ＣＩＳＳＴＡＲＴ１３０２をアクティブとすると，ＣＩＳセンサ１３０１は，受光した光に基づく電荷の蓄積を開始し，出力バッファ１３０４にデータを順次セットする。
次に，転送クロックＣＩＳＣＬＫ１３１５（例えば，５００ＫＨｚ〜１ＭＨｚ程度）を与えると，出力バッファ１３０４にセットされたデータは，シフトレジスタ１３０５によって，ＣＩＳＳＮＳ信号１３１８として，Ａ／Ｄコンバータ１３０８へと転送される。このＣＩＳＳＮＳ信号１３１８には，所定のデータ保証領域があるため，転送クロックＣＩＳＣＬＫ１３１５の立ち上がりタイミングから所定の時間が経過した後にサンプリングする必要がある。また，ＣＩＳＳＮＳ信号１３１８は，転送クロックＣＩＳＣＬＫ１３１５の立ち上がりと立ち下りの双方のエッジに同期して出力される。そのため，ＣＩＳサンプリングクロックＡＤＣＬＫ１３１６の周波数は，転送クロックＣＩＳＣＬＫ１３１５の２倍になるように生成される。そして，ＣＩＳＳＮＳ信号１３１８が，ＣＩＳサンプリングクロックＡＤＣＬＫ１３１６の立ち上がりエッジにて，サンプリングされる。
タイミングジェネレータ１３１７は，システムクロックＳＹＳＣＬＫ１３１４を分周して，ＣＩＳサンプリングクロックＡＤＣＬＫ１３１６，及び転送クロックＣＩＳＣＬＫ１３１５を生成する。そして，ＣＩＳサンプリングクロックＡＤＣＬＫ１３１６の位相は，転送クロックＣＩＳＣＬＫ１３１５と比べ，前記データ保証領域分だけ遅延する。
【００２７】
次に，Ａ／Ｄコンバータ１３０８でデジタル変換されたＣＩＳＳＮＳ信号１３１８は，出力インターフェース回路１３０９によって，所定のタイミングで制御され，１３１０のＳｌ＿ｏｕｔ信号にシリアルデータとして出力される。この際，スタートパルスＣＩＳＳＴＡＲＴ１３０２から所定画素分のＣＩＳＳＮＳ信号１３１８には，アナログ出力基準電圧が出力されており，有効画素としては使用出来ない。
【００２８】
一方，１３１１の制御回路によって，Ｓｌ＿ｉｎ信号１３１２，及びＳｌ＿ｓｅｌｅｃｔ信号１３１３により，Ａ／Ｄコンバータ１３０８のＡ／Ｄ変換ゲインを可変制御することが出来る。例えば，撮像した映像のコントラストが得られない場合は，ＣＰＵ１２０１は，Ａ／Ｄコンバータ１３０８のＡ／Ｄ変換ゲインを大きくすることにより，コントラストを増加させ，常に最良なコントラストで撮像することが出来る。
ここでは，全ての画素が，一つの出力信号ＣＩＳＳＮＳ信号１３１８として出力される系にて説明を行ったが，高速読み取りのために画素をエリア毎に分割し，複数エリアを同時にＡ／Ｄ変換を行っても良い。また，ここまで，原稿読み取り部１００に，ＣＩＳセンサ１３０１を用いて説明を行ってきたものの，ＣＭＯＳセンサやＣＣＤセンサ等にて置き換えて可能であることは言うまでも無い。
【００２９】
［送信結果に基づく排紙処理]
次に，図１４〜図１６を使用して，本実施形態における送信結果に応じて異なる排紙部に原稿が排紙される処理を実現する方法について説明する。
図１４は，画像処理装置１のプログラムメモリ１２０３に格納され，ＣＰＵ１２０１により制御されるソフトウェア構成の一例を示したものである。
画像処理装置１のプログラムメモリ１２０３は，動作制御部１４０１，スキャン動作制御部１４０２，印刷動作制御部１４０３，及び送信動作制御部１４０４から構成される。
動作制御部１４０１は，スキャン動作制御部１４０２，印刷動作制御部１４０３，及び送信動作制御部１４０４を制御する。
【００３０】
スキャン動作制御部１４０２は，原稿Ｇに対する画像読取部１００によるスキャン機能，及び画像メモリ１２０４への原稿Ｇをスキャンした画像データの保存機能を有する。
スキャン動作制御部１４０２は，画像メモリ１２０４へ保存された画像データを，送信動作制御部１４０４にてファクス部１２５２や，ＮＩＣ１２５３を介して不図示の外部の情報処理装置に送信する際に，送信可能なファイル形式に変換する機能を有する。
印刷動作制御部１４０３は，原稿Ｇに対する送信結果や済スタンプ，ＱＲコード（登録商標）等を印字する機能を含む印刷機能を有する。
送信動作制御部１４０４は，原稿Ｇに対する画像メモリ１２０４の画像データを，ファクス部１２５２を介したファクス送信する機能を有する。また送信動作制御部１４０４は，原稿Ｇに対する画像メモリ１２０４の画像データを，ＮＩＣ１２５３を介して通信回線１２６１に接続し，画像メモリ１２０４の画像データを不図示の外部の情報処理装置に送信する機能を有する。また，送信動作制御部１４０４は，ファクス部１２５２やＮＩＣ１２５３を介した送信処理の後，送信結果に応じて，搬送ローラ４１〜４４等を制御し，原稿Ｇを第１排紙部１１０，第２排紙部９０，第３排紙部７０，第４排紙部３０に排紙する機能を有する。
【００３１】
次に，図１５（ａ）は，操作部１２５１に表示する送信設定画面１５０１の一例である。
送信設定画面１５０１は，ユーザへの操作説明１５０２，画像データの送信先を設定するためのボタン１５０３，送信解像度を設定するためのボタン１５０４，原稿サイズを設定するためのボタン１５０５が配置される。さらにその他の機能ボタン１５０６は，より詳細な送信設定を行うためのボタンである。
次に，図１５（ｂ）は，操作部１２５１に表示する送信詳細設定画面１５１１の一例である。送信詳細設定画面１５１１は，図１５（ａ）のその他の機能ボタン１５０６が押下された場合に表示される。
送信詳細設定画面１５１１は，両面原稿を送信する場合に設定するためのボタン１５１２，濃度設定のためのボタン１５１３，シャープネス設定のためのボタン１５１４が配置される。さらに送信給排紙設定ボタン１５１５は，送信前，送信中，送信後の原稿の給紙および排紙を設定するためのボタンである。閉じるボタン１５１６が押下されると，元の画面である送信設定画面１５０１に戻る。
【００３２】
次に，図１５（ｃ）は，操作部１２５１に表示する送信給排紙設定画面１５２１の一例である。送信給排紙設定画面１５２１は，図１５（ｂ）の送信給排紙設定ボタン１５１５が押下された場合に表示される。
送信給排紙設定画面１５２１は，給紙位置設定ボタン１５２２〜１５２５，排紙部変更設定ボタン１５２６が配置される。また送信給排紙設定画面１５２１は，送信中排紙位置設定ボタン１５２７〜１５３０，送信成功時排紙位置設定ボタン１５３１〜１５３４，送信エラー時排紙位置設定ボタン１５３５〜１５３８が配置される。給紙位置設定ボタン１５２２〜１５２５はスキャン時に給紙する排紙部を指定するためのボタンである。例えば，給紙位置設定ボタン１５２２は第１排紙部１１０，給紙位置設定ボタン１５２３は第２排紙部９０，給紙位置設定ボタン１５２３は第３排紙部７０，給紙位置設定ボタン１５２４は第４排紙部３０を指定するものである。
排紙部変更設定ボタン１５２６は送信中や送信結果に応じて排紙部を変更するためのボタンである。排紙部変更設定ボタン１５２６がＯＮに設定された場合は，送信中排紙位置設定ボタン１５２７〜１５３０，送信成功時排紙位置設定ボタン１５３１〜１５３４，送信エラー時排紙位置設定ボタン１５３５〜１５３８が押下可能となる。排紙部変更設定ボタン１５２６がＯＦＦに設定された場合は，送信中排紙位置設定ボタン１５２７〜１５３０，送信成功時排紙位置設定ボタン１５３１〜１５３４，送信エラー時排紙位置設定ボタン１５３５〜１５３８が押下不可能となる。
【００３３】
送信中排紙位置設定ボタン１５２７〜１５３０は，前記給紙位置設定ボタン１５２２〜１５２５で指定された排紙部から給紙し，原稿をスキャンした後，画像データ送信中に排紙しておく排紙部を指定するためのボタンである。例えば，送信中排紙位置設定ボタン１５２７は第１排紙部１１０，送信中排紙位置設定ボタン１５２８は第２排紙部９０，送信中排紙位置設定ボタン１５２９は第３排紙部７０，送信中排紙位置設定ボタン１５３０は第４排紙部３０を指定するものである。
送信成功時排紙位置設定ボタン１５３１〜１５３４は，画像データの送信後，前記送信中排紙位置設定ボタン１５２７〜１５３０で指定された排紙部から給紙し，送信結果が成功した時に排紙する排紙部を指定するためのボタンである。例えば，送信成功時排紙位置設定ボタン１５３１は第１排紙部１１０，送信成功時排紙位置設定ボタン１５３２は第２排紙部９０，送信成功時排紙位置設定ボタン１５３３は第３排紙部７０，送信成功時排紙位置設定ボタン１５３４は第４排紙部３０を指定するものである。
送信エラー時排紙位置設定ボタン１５３５〜１５３８は，画像データの送信後，前記送信中排紙位置設定ボタン１５２７〜１５３０で指定された排紙部から給紙し，送信結果が失敗した時に排紙する排紙部を指定するためのボタンである。例えば，送信エラー時排紙位置設定ボタン１５３５は第１排紙部１１０，送信エラー時排紙位置設定ボタン１５３６は第２排紙部９０，送信エラー時排紙位置設定ボタン１５３７は第３排紙部７０，送信エラー時排紙位置設定ボタン１５３８は第４排紙部３０を指定するものである。
さらに，送信給排紙設定画面１５２１は，送信給排紙設定画面１５２１上で行った設定を取り消すためのボタン１５３９が配置される。閉じるボタン１５４０が押下されると，送信給排紙設定画面１５２１での設定を終了し，元の画面である送信詳細設定画面１５１１に戻る。
【００３４】
図１６は，第１の実施形態における画像処理装置１で実行される処理のフローチャートである。本フローチャートに示す処理は，ＣＰＵ１２０１が，プログラムメモリ１２０３に記憶されたプログラムを実行することによって行われる。
ＣＰＵ１２０１は，原稿Ｇの画像の読み取りおよび送信処理の実行指示を受け付けた場合に図１６のフローチャートに示す処理を開始する。
（Ｓ１６０１）
ステップＳ１６０１で，動作制御部１４０１は，操作部１２５１に図１５（ａ）の送信設定画面１５０１を表示させる。そして処理はステップＳ１６０２に進む。
（Ｓ１６０２）
ステップＳ１６０２で，動作制御部１４０１が不図示のスタートキーが押下されたか否かを判断する。動作制御部１４０１が，スタートキーが押下されていないと判断した場合は，処理は再びステップＳ１６０２に戻り，動作制御部１４０１が，スタートキーが押下されたと判断した場合は，処理はステップＳ１６０３に進む。
（Ｓ１６０３）
ステップＳ１６０３で，動作制御部１４０１は，送信設定画面１５０１，送信詳細設定画面１５１１，送信給排紙設定画面１５２１で設定されたスキャン設定および送信設定を取得する。動作制御部１４０１は，取得したスキャン設定および送信設定をスキャン動作制御部１４０２に送信し，スキャン動作を指示する。そして処理はステップＳ１６０４に進む。
【００３５】
（Ｓ１６０４）
ステップＳ１６０４で，スキャン動作制御部１４０２は，送信給排紙画面１５２１の給紙位置設定ボタン１５２２〜１５２５で設定された給紙位置の排紙部から原稿Ｇを給紙する。例えば，図１５（ｃ）に示す通り，給紙位置設定ボタン１５２３が設定されていた場合は第２排紙部９０から原稿Ｇを給紙する。そして処理はステップＳ１６０５に進む。
（Ｓ１６０５）
ステップＳ１６０５で，スキャン動作制御部１４０２は，前記ステップＳ１６０４で給紙した原稿Ｇをスキャンし，画像データを取得する。取得した画像データは動作制御部１４０１に送信する。そして処理はステップＳ１６０６に進む。
（Ｓ１６０６）
ステップＳ１６０６で，スキャン動作制御部１４０２は，送信給排紙設定の排紙部変更設定ボタン１５２６がＯＮになっていたか否かを判断する。スキャン動作制御部１４０２が，排紙部変更設定ボタン１５２６がＯＮになっていたと判断した場合は，処理はステップＳ１６０７に進む。スキャン動作制御部１４０２が，排紙部変更設定ボタン１５２６がＯＮになっていなかったと判断した場合は，処理はステップＳ１６０８に進む。
（Ｓ１６０７）
ステップＳ１６０７で，スキャン動作制御部１４０２は送信給排紙画面１５２１の送信中排紙位置設定ボタン１５２７〜１５３０で指定された排紙部に，前記ステップＳ１６０５でスキャンした原稿Ｇを排紙する。例えば，図１５（ｃ）に示す通り，送信中排紙位置設定ボタン１５３０が設定されていた場合は第４排紙部３０へ原稿Ｇを排紙する。そしてスキャン動作制御部１４０２は処理終了の旨を動作制御部１４０１に通知し，処理はステップＳ１６０９に進む。
【００３６】
（Ｓ１６０８）
ステップＳ１６０８で，スキャン動作制御部１４０２は，前記ステップＳ１６０５でスキャンした原稿Ｇを，あらかじめ定められた既定の排紙部に排紙する。ここで既定の排紙位置は，第１排紙部１１０，第２排紙部９０，第３排紙部７０，第４排紙部３０のいずれであってもよい。そしてスキャン動作制御部１４０２は処理終了の旨を動作制御部１４０１に通知し，処理はステップＳ１６０９に進む。
（Ｓ１６０９）
ステップＳ１６０９で，動作制御部１４０１は，前記ステップＳ１６０３で取得したスキャン設定および送信設定と，前記ステップＳ１６０５で受信した画像データを送信動作制御部１４０４に送信し，画像データの送信を指示する。送信動作制御部１４０４は，受信したスキャン設定および送信設定に従って，ファクス部１２５２を通じて公衆回線１２６０を経由して，または，ＮＩＣ１２５３を通じて通信回線１２６１を経由して，受信した画像データを画像処理装置１の外部装置に送信する。そして送信結果を動作制御部１４０１に送信し，処理はステップＳ１６１０に進む。
（Ｓ１６１０）
ステップＳ１６１０で，動作制御部１４０１は，送信給排紙設定の排紙部変更設定ボタン１５２６がＯＮになっていたか否かを判断する。動作制御部１４０１が，排紙部変更設定ボタン１５２６がＯＮになっていたと判断した場合は，処理はステップＳ１６１１に進む。動作制御部１４０１が，排紙部変更設定ボタン１５２６がＯＮになっていなかったと判断した場合は，処理は終了する。
【００３７】
（Ｓ１６１１）
ステップＳ１６１１で，動作制御部１４０１は，送信給排紙画面１５２１の送信中排紙位置設定ボタン１５２７〜１５３０で設定された送信中排紙位置の排紙部から原稿Ｇを給紙する。例えば，図１５（ｃ）に示す通り，送信中排紙位置設定ボタン１５３０が設定されていた場合は第４排紙部３０から原稿Ｇを給紙する。そして処理はステップＳ１６１２に進む。
（Ｓ１６１２）
ステップＳ１６１２で，動作制御部１４０１は，前記ステップＳ１６０９で送信動作制御部１４０４から受信した画像データの送信結果が成功であったか否かを判断する。動作制御部１４０１が，送信結果が成功であると判断した場合は，処理はステップＳ１６１３に進む。動作制御部１４０１が，送信結果が成功ではないと判断した場合は，処理はステップＳ１６１４に進む。
（Ｓ１６１３）
ステップＳ１６１３で，動作制御部１４０１は，送信給排紙画面１５２１の送信成功時排紙位置設定ボタン１５３１〜１５３４で指定された排紙部に，前記ステップＳ１６１１で給紙した原稿Ｇを排紙する。例えば，図１５（ｃ）に示す通り，送信成功時排紙位置設定ボタン１５３３が設定されていた場合は第３排紙部７０へ原稿Ｇを排紙する。そして処理は終了する。
（Ｓ１６１４）
ステップＳ１６１４で，動作制御部１４０１は，送信給排紙画面１５２１の送信エラー時排紙位置設定ボタン１５３５〜１５３８で指定された排紙部に，前記ステップＳ１６１１で給紙した原稿Ｇを排紙する。例えば，図１５（ｃ）に示す通り，送信エラー時排紙位置設定ボタン１５３５が設定されていた場合は第１排紙部１１０へ原稿Ｇを排紙する。そして処理は終了する。
【００３８】
以上の処理により，第１の実施形態によれば，原稿をスキャンした後，送信中や，送信結果に応じて，異なる排紙部に原稿が排紙される。これにより，原稿の排紙された排紙部を見るだけで，操作画面を参照したり，送信結果レポートの内容を閲覧したりしなくとも，遠方から一目で送信結果を確認することができる。
【００３９】
（第２実施形態）
次に，本発明の第２の実施形態を説明する。
原稿をスキャンした画像データを送信する送信先として，複数の宛先が指定される同報送信を行う場合がある。またそのような場合，送信設定画面１５０１を用いて複数の送信先を指定する場合と，複数の宛先を，送信指示書を用いて送信先を指定する場合がある。
このような場合，同報送信を行う際に，複数の宛先を考慮して原稿の排紙部を決定することが望ましい。さらに，送信指示書を用いて同報送信を行う場合に，送信指示書と送信結果レポートを見比べなくとも，送信指示書を見るだけで，送信宛先毎に送信結果を一目で判別できるようにするのが望ましい。
以下に，上記のことを実現する本発明の好適な実施形態を以下に説明する。
【００４０】
図１７は，複数の宛先に画像データを送信する際に，ユーザが送信宛先を指示するための送信指示書１７０１の一例である。
送信チェックボックス１７０２は，送信指示書に記載された宛先のうち，実際に送信する宛先をユーザが指定するためのチェックボックスである。ユーザが送信チェックボックス１７０２に印，例えばレ印や丸印を記載することで，画像処理装置１は印が記載された送信先にのみ画像データを送信する。送信結果チェックボックス１７０３は，画像処理装置１がユーザから指定された宛先に画像データを送信した結果を記載するためのチェックボックスである。
送信指示書１７０１は，宛先の番号を表示するための宛先Ｎｏ１７０４，宛先名を表示するための宛先名１７０５，宛先のＦＡＸ番号やメールアドレス等を表示するための宛先１７０６が配置される。
【００４１】
次に，図１８は，送信指示書の第１面への送信結果印刷を説明するための図である。
ここでは，送信指示書１７０１は原稿Ｇの最初のページに含まれているものとする。また，送信中排紙位置が第４排紙部３０に設定されているものとする。さらに，すでに原稿の画像データのスキャンが終了し，送信中の状態であり，送信指示書１７０１は，第４排紙部３０に積載されている状態であるものとする。
【００４２】
図１８は，本発明に係る印刷装置の一例である画像処理装置１の断面図を示す図である。
画像処理装置１内には，感光ドラム１０と現像ローラ１１が配置されている。
感光ドラム１０は，回転可能な像担持体である。
現像ローラ１１は，感光ドラム１０と並接し，トナーを保持しながら回転する。
光学ユニット２は，印刷信号を受信すると，発光部２１は，回転する感光ドラム１０の表面にレーザ光を照射し，レーザ光を照射された感光ドラム１０の表面には，電荷による潜像画像が形成される。
現像ローラ１１が回転しながら，感光ドラム１０の表面に形成された潜像画像にトナーを供給すると，感光ドラム１０の表面には，トナー画像が形成される。   
次に，第４排紙部３０は，用紙などの記録材Ｓ（シート，または記録紙ともいう）を収納する。ここでは送信指示書１７０１が記録材Ｓとして収納されているものとする。
第４排紙部３０に収納されていた記録材Ｓは，ＣＳＴピックアップローラ３１と分離手段３２によって，一枚ずつ搬送ローラ４０に搬送される。図１８において，太い線の矢印は，記録材Ｓを示す。
搬送ローラ４０は，感光ドラム１０の表面上にあるトナー画像と記録材Ｓの先端とが合うようにタイミングを調整して，記録材Ｓを転写部１５へ搬送する。
【００４３】
トナー画像は，感光ドラム１０の回転によって搬送され，転写部１５に付与される印加バイアスと圧力とによって記録材Ｓに転写される。
転写部１５は，記録材Ｓを定着部５０に搬送する。
定着部５０では，回転可能な加熱ローラ５１と，回転可能な加圧ローラ５２とが対向していて，加熱ローラ５１からの熱と，加圧ローラ５２による圧力とがトナー画像を記録材Ｓに定着させる。
トナー画像が定着された記録材Ｓは，搬送ローラ６０に搬送される。
片面印刷の場合には，記録材Ｓを送信結果に応じた排紙部に搬送する。例えば，送信結果が成功，かつ，送信成功時排紙位置設定ボタン１５３３であった場合は，搬送ローラ６０は，記録材Ｓを機外へ搬送し，記録材Ｓは第３排紙部７０に積載される。 
【００４４】
次に，図１９は，両面印刷のプロセスを説明するための図である。
記録材Ｓの後端が，スイッチバックフラッパ６１を通過した後，スイッチバックフラッパ６１は，搬送路を切り替える。その後，搬送ローラ６０は，逆回転をし始め，記録材Ｓを両面搬送路８０へ搬送する。記録材Ｓは，搬送ローラ４１によって画像読取部１００に搬送される。その後，記録材Ｓは，搬送ローラ４２，及び搬送ローラ４０によって再び転写部１５に搬送される。記録材Ｓに対してトナー画像の転写及び定着が行われた後，両面印刷が施された記録材Ｓを送信結果に応じた排紙部に搬送する。例えば，送信結果が成功，かつ，送信成功時排紙位置設定ボタン１５３３であった場合は，搬送ローラ６０は，記録材Ｓを第３排紙部７０へ搬送し，積載する。
【００４５】
次に，図１５（ｄ）は，操作部１２５１に表示する送信詳細設定画面１５４１の一例である。第２の実施形態では，第１の実施形態の図１５（ｂ）の送信詳細設定画面の代わりに，図１５（ｄ）の送信詳細設定画面を用いる。図１５（ｄ）の送信詳細設定画面１５４１は，原稿Ｇに送信指示書１７０１が含まれていた場合に，送信結果を送信指示書に印刷するか否かを設定するための指示書に結果印刷ボタン１５４２が配置される。その他の部分は，第１の実施形態の図１５（ｂ）と同様である。
【００４６】
図２０は，第２の実施形態における画像処理装置１で実行される処理のフローチャートである。ここで，送信前までのスキャン設定，送信設定，スキャン動作及び排紙は，第１の実施形態のＳ１６０１〜Ｓ１６０８，Ｓ１６１０〜Ｓ１６１４と同じであるので，同参照符号で示し，説明も省略し，異なる部分についてのみ説明する。
本フローチャートに示す処理は，ＣＰＵ１２０１が，プログラムメモリ１２０３に記憶されたプログラムを実行することによって行われる。
ＣＰＵ１２０１は，原稿Ｇの画像の読み取りおよび送信処理の実行指示を受け付けた場合に図２０のフローチャートに示す処理を開始する。
（Ｓ２００１）
ステップＳ２００１で，動作制御部１４０１は，前記ステップＳ１６０５でスキャンした画像データから，原稿Ｇの１ページ目が送信指示書１７０１であるか否かを判断する。動作制御部１４０１が原稿Ｇの１ページ目が送信指示書１７０１であると判断した場合は，処理はステップＳ２００２に進む。動作制御部１４０１が原稿Ｇの１ページ目が送信指示書１７０１ではないと判断した場合は，処理はステップＳ２００３に進む。
【００４７】
（Ｓ２００２）
ステップＳ２００２で，動作制御部１４０１は，前記ステップＳ１６０５でスキャンした画像データから送信指示書１７０１のページを抽出し，さらに送信指示書１７０１から送信チェックボックス１７０２，宛先Ｎｏ１７０４を取得する。動作制御部１４０１は，取得した送信チェックボックス１７０２に印が記載されている宛先の，宛先Ｎｏを抽出し，プログラムメモリ１２０３のＲＯＭやＲＡＭ，ＨＤＤに保存されている，宛先Ｎｏに対応する宛先情報を取得する。動作制御部１４０１は取得した宛先情報と，前記ステップＳ１６０３で取得したスキャン設定・送信設定，前記ステップＳ１６０５で取得した原稿Ｇの画像データを送信動作制御部１４０４に送信し，宛先情報で指定した宛先への画像データの送信を指示する。送信動作制御部１４０４は，受信したスキャン設定および送信設定に従って，ファクス部１２５２を通じて公衆回線１２６０を経由して，または，ＮＩＣ１２５３を通じて通信回線１２６１を経由して，受信した画像データを画像処理装置１の外部装置に送信する。そして送信結果を動作制御部１４０１に送信し，処理はステップＳ２００４に進む。
【００４８】
（Ｓ２００３）
ステップＳ２００３で，動作制御部１４０１は，前記ステップＳ１６０３で不図示の送信設定画面でユーザによって設定された宛先の宛先Ｎｏを取得する。動作制御部１４０１は，プログラムメモリ１２０３のＲＯＭやＲＡＭ，ＨＤＤに保存されている，取得した宛先Ｎｏに対応する宛先情報を取得する。動作制御部１４０１は取得した宛先情報と，前記ステップＳ１６０３で取得したスキャン設定・送信設定，前記ステップＳ１６０５で取得した原稿Ｇの画像データを送信動作制御部１４０４に送信し，宛先情報で指定した宛先への画像データの送信を指示する。送信動作制御部１４０４は，受信したスキャン設定および送信設定に従って，ファクス部１２５２を通じて公衆回線１２６０を経由して，または，ＮＩＣ１２５３を通じて通信回線１２６１を経由して，受信した画像データを画像処理装置１の外部装置に送信する。そして送信結果を動作制御部１４０１に送信し，処理はステップＳ１６１０に進む。
【００４９】
（Ｓ２００４）
ステップＳ２００４で，動作制御部１４０１は，ステップＳ１６０６で，送信給排紙設定の排紙部変更設定ボタン１５２６がＯＮになっていたか否かを判断する。動作制御部１４０１が，排紙部変更設定ボタン１５２６がＯＮになっていたと判断した場合は，処理はステップＳ２００５に進む。動作制御部１４０１が，排紙部変更設定ボタン１５２６がＯＮになっていなかったと判断した場合は，処理はステップＳ２００６に進む。
（Ｓ２００５）
ステップＳ２００５で，動作制御部１４０１は，送信給排紙画面１５２１の送信中排紙位置設定ボタン１５２７〜１５３０で設定された送信中排紙位置の排紙部から原稿Ｇを給紙する。例えば，図１５（ｃ）に示す通り，送信中排紙位置設定ボタン１５３０が設定されていた場合は第４排紙部３０から原稿Ｇを給紙する。そして処理はステップＳ２００７に進む。
【００５０】
（Ｓ２００６）
ステップＳ２００６で，動作制御部１４０１は，前記ステップＳ１６０８で排紙された既定の排紙部から原稿Ｇを給紙する。そして処理はステップＳ２００７に進む。
（Ｓ２００７）
ステップＳ２００７で，動作制御部１４０１は，前記ステップ１５０３で取得した送信詳細設定画面１５４１の指示書に結果印刷ボタン１５４２がＯＮになっていたか否かを判断する。動作制御部１４０１が，指示書に結果印刷ボタン１５４２がＯＮになっていたと判断した場合は，処理はステップＳ２００８に進む。動作制御部１４０１が，指示書に結果印刷ボタン１５４２がＯＮになっていなかったと判断した場合は，処理はステップＳ１６１０に進む。
【００５１】
（Ｓ２００８）
ステップＳ２００８で，動作制御部１４０１は，前記ステップＳ２００２で取得した送信指示書１７０１の画像データ，送信結果を印刷動作制御部１４０３に送信し，送信指示書１７０１の送信結果チェックボックス１７０３に送信結果を印刷するよう指示する。印刷動作制御部１４０３は，受信した送信指示書１７０１の画像データと送信結果を元に，宛先Ｎｏ１７０４毎に，宛先Ｎｏに対応する送信結果チェックボックス１７０３の位置情報と，宛先Ｎｏに対応する送信結果を取得する。さらに印刷動作制御部１４０３は，前記ステップＳ２００５または前記ステップＳ２００６で給紙された送信指示書１７０１に対して，宛先Ｎｏに対応する送信結果チェックボックス１７０３の位置情報で示された位置に，宛先Ｎｏに対応する送信結果を印刷する。例えば，図１７に示す送信指示書１７０１では，宛先Ｎｏ１７０４が"０００１"の送信結果が成功であった場合に，宛先Ｎｏ１７０４が"０００１"の送信結果チェックボックス１７０３に対して，丸印を印刷する。そして処理はステップＳ１６１０に進む。
【００５２】
以上の処理により，本実施形態によれば，画像データ送信の宛先が複数の場合であっても，送信結果に応じて，異なる排紙部に原稿が排紙される。これにより，原稿の排紙された排紙部を見るだけで，操作画面を参照したり，送信結果レポートの内容を閲覧したりしなくとも，遠方から一目で送信結果を確認することができる。さらに，画像データ送信の宛先が送信指示書１７０１で示された場合でも，送信指示書１７０１の送信結果チェックボックス１７０３に送信結果が印刷される。このため，ユーザは送信指示書と送信結果レポートを見比べなくとも，送信指示書を見るだけで，送信宛先毎に送信結果を一目で判別することができる。
【００５３】
（その他の実施形態）
前記の実施形態において，プログラムメモリ１２０３に排紙後に再給紙可能な排紙部と，再給紙不可能な排紙部の情報を保持し，送信結果が成功の場合は再給紙不可能な排紙部に排紙し，送信結果が失敗の場合は再給紙可能な排紙部に排紙するようにしてもよい。例えば，前記第１の実施形態における画像処理装置１の場合，再給紙可能な排紙部は第１排紙部１１０，第２排紙部９０，第４排紙部３０であり，再給紙不可能な排紙部は第３排紙部７０である。
また前記の実施形態で，送信エラー時に，送信エラー時排紙位置設定された排紙部に排紙する際に，送信エラーの種類によって，シフトソートするようにしてもよい。
また前記の実施形態で，送信エラー時に排紙され処理が終了した後，送信失敗した宛先をプログラムメモリ１２０３に保持しておき，再度不図示のスタートキーを押下した場合に，保持しておいた宛先に対して，再度送信処理を実行するようにしてもよい。
また前記の実施形態では，設定画面がウィザード形式で複数画面を用いて設定を行わせているが，１画面で全ての設定できるようにしてもよい。
また前記の実施例では，ユーザに画像処理装置１の操作部Ｉ／Ｆ１２５０を制御し操作部１２５１に設定画面を表示し操作を行わせているが，汎用的なパーソナルコンピューターのＷｅｂブラウザーから設定画面を操作できるようにしてもよい。
【００５４】
また本発明の目的は，前述した実施形態で示したフローチャートの手順を実現するプログラムコードを記憶した記憶媒体から，システムあるいは装置のコンピュータ（またはＣＰＵやＭＰＵ）が，そのプログラムコードを読出し実行することによっても達成される。この場合，記憶媒体から読み出されたプログラムコード自体が上述した実施形態の機能を実現することになる。そのため，このプログラムコード及びプログラムコードを記憶した記憶媒体も本発明の一つを構成することになる。
プログラムコードを供給するための記憶媒体としては，例えば，フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
またコンピューターが読み出したプログラムコードを実行することにより，上述した実施形態の機能が実現されるだけではない。そのプログラムコードの指示に基づきコンピューター上で稼動しているＯＳ（オペレーティングシステム）などが実際の処理の一部または全部を行い，その処理によって上述した実施形態の機能が実現される場合も含まれる。
さらに，次の場合も含まれる。記憶媒体から読出されたプログラムコードが，コンピューターに挿入された機能拡張ボードやコンピューターに接続された機能拡張ユニットに備わるメモリに書き込まれている。そして，そのプログラムコードの指示に基づき，その機能拡張ボードや機能拡張ユニットに備わるＣＰＵなどが実際の処理の一部または全部を行い，その処理によって上述した実施形態の機能が実現される。
【符号の説明】
【００５５】
Ｇ      原稿
Ｓ      記録材
１      画像処理装置
３０    第４排紙部
７０    第３排紙部
９０    第２給紙部
１１０  第１排紙部
【図１】
2016076821.tif 000003
【図２】
2016076821.tif 000004
【図３】
2016076821.tif 000005
【図４】
2016076821.tif 000006
【図５】
2016076821.tif 000007
【図６】
2016076821.tif 000008
【図７】
2016076821.tif 000009
【図８】
2016076821.tif 000010
【図９】
2016076821.tif 000011
【図１０】
2016076821.tif 000012
【図１１】
2016076821.tif 000013
【図１２】
2016076821.tif 000014
【図１３】
2016076821.tif 000015
【図１４】
2016076821.tif 000016
【図１５】
2016076821.tif 000017
【図１６】
2016076821.tif 000018
【図１７】
2016076821.tif 000019
【図１８】
2016076821.tif 000020
【図１９】
2016076821.tif 000021
【図２０】
2016076821.tif 000022